(57)【要約】      （修正有）【課題】極めて良い防振効果を有し、フレームトップに露出するガットの損傷を防止することを可能にする安全ラケットを提供する。【解決手段】数多くの貫通孔２４を有するフレームトップ２０と、グリップと、フレームトップとグリップを連接する連接部と、貫通孔の外端に位置するヘッド部３２と、ヘッド部から軸方向に沿い貫通孔に入り込むように延伸される少なくとも一つの軸部３４を有し、そのうちの軸部は貫通孔に突出する末端部３５と、末端部に位置する通線孔３６を有し、通線孔は軸方向に垂直の延伸方向を有する少なくとも一つのリベット３０と、リベットの通線孔を貫通し、交差に編まれてフェイスを形成するガット３８と、を含むことを特徴とする安全ラケット。【選択図】図３
0003133188.tif 000002
【実用新案登録請求の範囲】
【請求項１】
数多くの貫通孔を有するフレームトップと、
グリップと、
フレームトップとグリップを連接する連接部と、
貫通孔の外端に位置するヘッド部と、
ヘッド部から軸方向に沿い貫通孔に入り込むように延伸される少なくとも一つの軸部を有し、軸部は貫通孔に突出する末端部と、末端部に位置する通線孔を有し、通線孔は軸方向に垂直の延伸方向を有する少なくとも一つのリベットと、
リベットの通線孔を貫通し、交差に編まれてフェイスを形成するガットと、
を含むことを特徴とする安全ラケット。
【請求項２】
フレームトップは、リベットのヘッド部を収容する大径部とリベットの軸部とを収容する小径部を有することを特徴とする請求項１に記載の安全ラケット。
【請求項３】
リベットの通線孔の延伸方向は、フェイスに平行することを特徴とする請求項２に記載の安全ラケット。
【請求項４】
リベットの通線孔の延伸方向は、フェイスに垂直であることを特徴とする請求項２に記載の安全ラケット。
【請求項５】
リベットのヘッド部とフレームトップの間にパッドを有し、パッドはリベットの軸部を差し込むための穿孔を有することを特徴とする請求項１に記載の安全ラケット。
【考案の詳細な説明】
【技術分野】
【０００１】
本考案はスポーツ用品、詳しく言えば極めて良い防振効果を有し、フレームトップに露出するガットの損傷を防止することを可能にする安全ラケットに関するものである。
【背景技術】
【０００２】
周知のラケットはフレームトップ、グリップ、フレームトップとグリップを接続するスロートを含む。フレームトップはガットを通すための数多くの貫通孔を有する。ガットはそのうちの一つの貫通孔から外部へ貫通し、フレームトップの外側に付着しながら別の貫通孔を貫通するように設けられる。ガットの一部分はフレームトップの外側に露出するため、外力作用により損傷を受けたり断線したりするという事態が発生する。またガットの一部分はフレームトップの外側に付着するため、打球の際にガットの振動のパワーがまず直接フレームトップに伝達し、続いてグリップに伝達していき、その結果、使用者に比較的大きい衝撃力を与えてしまう。
【考案の開示】
【考案が解決しようとする課題】
【０００３】
本考案の主な目的は極めて良い防振効果を有し、フレームトップに露出するガットの損傷を防止することを可能にする安全ラケットを提供することである。
【課題を解決するための手段】
【０００４】
上述の目的を達成するために、本考案による安全ラケットはフレームトップ、グリップ、連接部、少なくとも一つのリベットとガットを含む。フレームトップは数多くの貫通孔を有し、連接部はフレームトップとグリップを連接し、リベットは貫通孔の外端に位置するヘッド部と、ヘッド部から軸方向に沿い貫通孔に入り込むように延伸される少なくとも一つの軸部を有する。軸部は貫通孔に突出する末端部と、末端部に位置する通線孔を有する。通線孔は軸方向に垂直の延伸方向を有する。ガットはリベットの通線孔を貫通し、交差に編まれてフェイスを形成する。
【考案を実施するための最良の形態】
【０００５】
以下、六つの実施例と図面に基づいて本考案の特徴を説明する。まず図面の説明は下記の通りである。
図１は本考案の第一実施例の正面図である。
図２は本考案の第一実施例の側面図である。
図３は本考案の第一実施例の一部分の分解図である。
図４は本考案の第一実施例におけるリベットの立体図である。
図５は図３の５-５に沿う断面図である。
図６は本考案の第二実施例の一部分を示す模式図である。
図７は本考案の第三実施例の一部分を示す正面図である。
図８は本考案の第四実施例の一部分を示す正面図である。
図９は本考案の第五実施例の正面図である。
図１０は本考案の第六実施例の正面図である。
【０００６】
図１から図３に示すように本考案の第一実施例による安全ラケット１０はテニス用ラケットである。テニス用ラケットはフレームトップ２０、グリップ２８、連接部２９、数多くのリベット３０とガット３８を含む。
フレームトップ２０は外側面２１と、内側面２２と、内、外側面を貫通する数多くの貫通孔２４を有する。貫通孔２４は大径部２５と小径部２６を有し、かつ貫通孔２４の幅は周知のラケットの貫通孔より大きく、隣り合うガット３８の間隔に相当する。
グリップ２８は使用者が握るものであり、連接部２９はフレームトップ２０とグリップ２８を連接する。この部分の構造は一般のラケットとあまり変わらない。
【０００７】
図４と図５に示すように、リベット３０は貫通孔２４の外端部２４１に位置するヘッド部３２と、ヘッド部３２から軸方向Aに沿い貫通孔２４に入り込むように延伸される軸部３４を有する。リベット３０のヘッド部３２は貫通孔２４の大径部２５に収められ、リベット３０の軸部３４は貫通孔２４の小径部２６に収められる。またリベット３０の軸部３４は貫通孔２４に突出する末端部３５を有し、末端部３５は通線孔３６を有する。通線孔３６は軸方向Aに垂直の延伸方向Ｘを有する。
【０００８】
ガット３８はリベット３０の通線孔３６を貫通し、交差に編まれてフェイスＰを形成する。またガット３８は張力によりリベット３０とフレームトップ２０を嵌め合わせることが可能である。またリベット３０の通線孔３６の延伸方向ＸはややフェイスＰに平行する。
【０００９】
リベット３０を貫通するガット３８はフレームトップ２０に接触していない。かつリベット３０は振動吸収性のある材質、例えばナイロン、プラスチックまたは繊維を含有した強化プラスチックから構成されるため、打球の際に生じた振動のパワーを確実に吸収することが可能である。従って、本考案による安全ラケット１０は極めて良い振動吸収効果を有する。またガット３８は周知のラケットのようにフレームトップ２０の外側面２１を通る必要なく、リベット３０の通線孔３６を貫通しさえればいいため、ラケットを振る時にガット３８が地面、壁または別のものに接触し、摩擦を生じることが原因で損傷を受けたり断線したりすることを免れることが可能なだけでなく、使用上の安全性が極めて良く、ガット３８の使用寿命を延ばすことが可能である。
【００１０】
また本考案は需要に応じリベットの位置と数を変更することが可能である。図１に示すのは一例に過ぎない。実際にリベット３０はフレームトップ２０の任意の位置に配置することが可能であり、かつリベットの形は多様化する。図６に示すのは本考案の第二実施例による安全ラケット４０である。安全ラケット４０はリベット４４のヘッド部４５とフレームトップ４８の間に配置されるパッド４２を有し、パッド４２はリベット４４の軸部４６を差し込むための穿孔４３を有し、パッド４２はゴム、ＰＵ、ＰＶＣまたは別のプラスチックなどの弾性材質から構成され、かつ打球の際に生じた振動を吸収可能であるため、ラケット４０に良好な振動吸収効果を持たせることが可能となる。またリベット４４の通線孔４７の延伸方向はラケット４０のフェイスに垂直である。
【００１１】
図７に示すのは本考案の第三実施例によるラケット５０である。そのうちの貫通孔５２とリベット５４の幅は第一実施例と比べて小さい。貫通孔５２の間隔は隣り合うガット５６の間隔に相当する。同様にこのような構造は振動吸収効果を有し、露出するガットの損傷を防止することが可能である。
【００１２】
図８に示すのは本考案の第四実施例による安全ラケット６０である。そのうちのリベット６２は一つのヘッド部６３と二つの軸部６４を有し、軸部６４は末端部６５にガット６８を通すための通線孔６６を有するため、よりリベット６２の取り付けに便利である。実際に製造する場合、リベットは細長いヘッド部と数多くの軸部を有するように形成することが可能である。軸部の数は特に制限がないため、一つ以上であればよい。
【００１３】
以上の実施例により掲示された安全ラケットはテニス用ラケットを例とする。また本考案はグラファイト製のスカッシュ用ラケット、バドミント用ラケットまたは他のスポーツ用のラケットに適用することが可能である。図９に示すのは本考案の第五実施例による安全ラケット７０である。安全ラケット７０はグラファイト製のスカッシュ用ラケットである。図１０に示すのは本考案の第六実施例による安全ラケット８０である。実際に、本考案は任意の形のラケットに適用することが可能である。
また本考案の技術内容に基づき思い付きやすい構造変化は本考案の請求範囲に属すべきである。
【図面の簡単な説明】
【００１４】
【図１】本考案の第一実施例の正面図である。
【図２】本考案の第一実施例の側面図である。
【図３】本考案の第一実施例の一部分の分解図である。
【図４】本考案の第一実施例におけるリベットの立体図である。
【図５】図３の５-５に沿う断面図である。
【図６】本考案の第二実施例の一部分を示す模式図である。
【図７】本考案の第三実施例の一部分を示す正面図である。
【図８】本考案の第四実施例の一部分を示す正面図である。
【図９】本考案の第五実施例の正面図である。
【図１０】本考案の第六実施例の正面図である。
【符号の説明】
【００１５】
１０：安全ラケット、２０：フレームトップ、２１：外側面、２２：内側面、２４：貫通孔、２４１：外端、２５：大径部、２６：小径部、２８：グリップ、２９：連接部、３０：リベット、３２：ヘッド部、３４：軸部、Ａ：軸方向、３５：末端部、３６：通線孔、Ｘ：延伸方向、３８：ガット、Ｐ：フェイス、４０：安全ラケット、４２：パッド、４３：穿孔、４４：リベット、４５：ヘッド部、４６：軸部、４７：通線孔、４８：フレームトップ、５０：安全ラケット、５２：貫通孔、５４：リベット、５６：ガット、６０：安全ラケット、６２：リベット、６３：ヘッド部、６４：軸部、６５：末端部、６６：通線孔、６８：ガット、７０：安全ラケット、８０：安全ラケット
【図１】
0003133188.tif 000003
【図２】
0003133188.tif 000004
【図３】
0003133188.tif 000005
【図４】
0003133188.tif 000006
【図５】
0003133188.tif 000007
【図６】
0003133188.tif 000008
【図７】
0003133188.tif 000009
【図８】
0003133188.tif 000010
【図９】
0003133188.tif 000011
【図１０】
0003133188.tif 000012